(57)【要約】【課題】昇降メンバの下降の緩行装置の構成コストを低減することができる便器上面設備を提供する。【解決手段】便座ボックス２を浮上させるに当っては、ケース３ｂに手を掛けて引き上げる。フロントベースプレート等の上昇に際しては、スライダ１２はガイド１１に沿って上昇し、エアバッグ１３が減容する。エアバッグ１３内のエアは、開口２０，２１，２２を通過し、弁１４を矢印θ方向に押し上げ、速やかにエアバッグ１３外に流出する。下降に際しては、スライダ１１はガイド１２に沿って下降する。この場合、弁１４は天板１１ｃに重なっており、エアバッグ１３内には小孔２３を介してエアが流入する。このため、エアバッグ１３の増容が緩慢なものとなり、カバー３ｂ及びフロントベースプレート３ａはゆっくりと下降するようになる。【選択図】  図１
2004329489.tif 000002
【特許請求の範囲】
【請求項１】
洋風便器の後部上面に設置される便器上面設備であって、
該洋風便器に固定される固定メンバと、
該固定メンバに対し昇降可能に取り付けられた昇降メンバと、
該昇降メンバの下降を緩行させる緩行装置と
を有する便器上面設備において、
該緩行装置はエアダンパであることを特徴とする便器上面設備。
【請求項２】
請求項１において、該エアダンパは、
エアの吸排口を有したエアバッグと、
該吸排口のエア通過量を制御する制御手段とを備えてなり、
該制御手段は、該昇降メンバの下降時には該吸排口のエア通過量を少なくし、該昇降メンバの上昇時にはエア通過量を多くするものである
ことを特徴とする便器上面設備。
【請求項３】
請求項２において、該制御手段は、エアの一方向への多量の流通を許容し、エアの他方向への流通を阻止するか又は減少させる逆止弁を有することを特徴とする便器上面設備。
【請求項４】
請求項１ないし３のいずれか１項において、該昇降メンバの昇降を案内する案内装置を備えており、前記緩行装置は該案内装置に設けられていることを特徴とする便器上面設備。
【請求項５】
請求項４において、該案内装置は、上下方向に移動するスライダと、上下方向に延在し、該スライダが係合したガイドとを備えており、
前記緩行装置は、該スライダに連結されていることを特徴とする便器上面設備。
【発明の詳細な説明】
【０００１】
【発明の属する技術分野】
本発明は、洋風便器の後部上面に設置される便座ボックス、タンクカバー等の便器上面設備に係り、特に昇降式の便器上面設備に関する。
【０００２】
【従来の技術】
洋風便器の上面に設置された便座は、便座ボックスあるいはタンクカバーなどの部材を介して洋風便器に対し俯仰方向に回動可能に取り付けられている。
【０００３】
この便座ボックス等と洋風便器上面との間に尿などの汚れが染み込んで臭気の原因となり易い。そこで、便座ボックスを洋風便器に対し上下動可能とし、洋風便器の清掃時に便座ボックスを便座と共に上方に移動（浮上）させるようにしたものが提案されている。
【０００４】
例えば、特開２００２−４３８３号公報には、前部を含む上側部分を昇降可能とした便座ボックスが記載されている。また、特開平９−２８６１９号公報には、昇降可能なタンクカバーが記載されている。
【０００５】
この特開平９−２８６１９号公報には、タンクカバーの昇降を案内するガイド機構として、スライダ及び該スライダが摺動するガイドとを備えたものが記載されている。また、このスライダの下降を緩行させるためにロータリダンパを設けることが記載されている。
【０００６】
【特許文献１】
特開２００２−４３８３号公報
【特許文献２】
特開平９−２８６１９号公報
【０００７】
【発明が解決しようとする課題】
上記の特開平９−２８６１９号公報で採用しているロータリダンパはやや高価格である。
【０００８】
本発明は、比較的低価格の部品を用いた緩行装置を有する便器上面設備を提供することを目的とする。
【０００９】
【課題を解決するための手段】
本発明の便器上面設備は、洋風便器の後部上面に設置される便器上面設備であって、該洋風便器に固定される固定メンバと、該固定メンバに対し昇降可能に取り付けられた昇降メンバと、該昇降メンバの下降を緩行させる緩行装置とを有する便器上面設備において、該緩行装置はエアダンパであることを特徴とするものである。
【００１０】
かかる本発明の便器上面設備にあっては、緩行装置としてエアダンパを採用しているので、ロータリダンパを採用している従来例よりも装置構成コストが低くなる。
【００１１】
このエアダンパは、エアの吸排口を有したエアバッグと、該吸排口のエア通過量を制御する制御手段とを備えてなり、該制御手段は、該昇降メンバの下降時には該吸排口のエア通過量を少なくし、該昇降メンバの上昇時にはエア通過量を多くするものが好ましい。
【００１２】
この制御手段は、エアの一方向への多量の流通を許容し、エアの他方向への流通を阻止するか又は減少させる逆止弁を有することが好ましい。
【００１３】
本発明では、この緩行装置は、昇降メンバの昇降を案内する案内装置に設けられることが好ましい。このように、案内装置に緩行装置を組み込むことにより、緩行装置を単独で便器上面設備に設けることが不要となる。
【００１４】
この案内装置は、上下方向に移動するスライダと、上下方向に延在し、該スライダが係合したガイドとを備えており、前記緩行装置は、該スライダに連結されているのが好ましい。この場合、エアダンパのエアバッグは、エア吸入量を制限することにより昇降メンバの下降を緩行させるものであってもよく、エア流出量を制限することにより昇降メンバの下降を緩行させるものであってもよい。
【００１５】
【発明の実施の形態】
以下、図面を参照して実施の形態について説明する。
【００１６】
図１（ａ）は実施の形態に係る便器上面設備の透視斜視図であり、（ｂ）図は浮上ユニットの浮上時の斜視図である。図２は浮上ユニットの降下時の斜視図である。図３は図２のＩＩＩ−ＩＩＩ線断面図、図４（ａ），（ｂ）は別の実施の形態に用いられる浮上ユニットの側面図、図５は便器上面設備を備えた洋風便器の斜視図、図６は図５の洋風便器の側面図である。
【００１７】
図５の通り、陶器製の洋風便器本体１の後部上面に便座ボックス２が昇降可能に設置されており、この便座ボックス２に便座２ａ及び便蓋２ｂが起倒方向回動可能に取り付けられている。
【００１８】
図６の通り、この実施の形態では、便座ボックス２は、前部に配置された昇降可能なフロントベースプレート３ａと、無底箱状の合成樹脂製のカバー３ｂとによって外殻が形成されている。図示は省略するが、このフロントベースプレート３ａに、人体臀部を温水で洗浄するための温水洗浄ノズル及びモータ駆動式温水切替弁装置が設置されている。また、このフロントベースプレート３ａの底面には、便座ボックス２が浮上したときにその下側領域Ｓを照らすための照明３ｃが設けられている。この照明３ｃとしてはＬＥＤが好適であるが、これに限定されない。
【００１９】
また、このフロントベースプレート３ａ上には、便座２ａ及び便蓋２ｂを開閉させる電動開閉ユニット、人体臀部に向けて温風を吹き出してその乾燥を行う温風ファン、便鉢内から臭気を含んだ空気を吸引して脱臭する脱臭ファン及び脱臭カートリッジが設けられている。カバー３ｂには、便器本体１に近づいたり着座した人体を検知するための人体検知センサが設けられている。
【００２０】
便器本体１の最後部上面には、カバー３ｂの後部側が上方から被さるようにリアベースプレート４ａが設けられている。このリアベースプレート４ａには、前記温水洗浄ノズルへ温水を供給するためのヒータ付き温水タンク４ｂ（図６にのみ図示）、便座ボックス２を押し上げたり、降下させたりする際の動きを案内させるための浮上ユニット１０のガイド１１が設置されている。また、リアベースプレート４ａには、図示はしないがヒータ及び電動ファンよりなる部屋暖房ファン、電源基板、制御回路基板、便鉢やトラップ部へ水を供給するためのバルブユニット等が設けられている。
【００２１】
この浮上ユニット１０は、フロントベースプレート３ａの後縁に固着されたスライダ１２と、該スライダ１２の昇降を案内する前記ガイド１１と、スライダ１２の下降を緩行させるエアバッグ１３及び弁１４等とを備えている。
【００２２】
ガイド１１は、後方に突出する取付片１１ａを介してリアベースプレート４ａの前部に固着されている。ガイド１１からは前方延出片１１ｂが延設されており、ガイド１１に対し前倒方向に加えられる荷重に対抗するよう構成されている。
【００２３】
前記エアバッグ１３は、スライダ１２とガイド１１の元板１１ｃとの間に介在されている。該エアバッグ１３は、上下方向に伸縮しうる蛇腹状であり、上下両端面にそれぞれトッププレート１５とボトムプレート１６とが接着等により固着されている。該トッププレート１５が前記天板１１ｃにボルト、リベット等により固着され、ボトムプレート１６がスライダ１２の上端面に固着されている。
【００２４】
図３の通り、エアバッグ１３の上端面と、トッププレート１５と、天板１１ｃとには、同軸状に略同一大きさの開口２０，２１，２２が設けられている。
【００２５】
前記弁１４は、金属、合成樹脂等の可撓性材料製の薄板よりなる逆止弁であり、該開口２２を上方から塞ぐように天板１１ｃの上面側に配置されている。この弁１４は、一端部が留付部材１４ａによって天板１１ｃに固定され、他端側が図３の矢印θの如く起立方向回動自在となっている。この弁１４の開口２２に臨む位置には小孔２３が穿設されている。なお、小孔２３は弁１４以外の部位に設けられてもよい。
【００２６】
この実施の形態では、このエアバッグ１３と弁１４及び小孔２３とにより緩行装置が構成されている。
【００２７】
また、この実施の形態では、リアベースプレート４ａが固定メンバであり、フロントベースプレート３ａ及びカバー３ｂが昇降メンバである。
【００２８】
なお、図示はしないが、浮上ユニット１０には、上昇したフロントベースプレート３ａを軽くラッチするラッチ片及びラッチバネが設けられており、ケース３ｂから手を離してもフロントベースプレート３ａが下降することはないように構成されている。
【００２９】
このように構成された便器上面設備を有する洋風便器においては、便座ボックス２を浮上させるに当っては、ケース３ｂに手を掛けて引き上げることにより、図６（ａ）の通り、フロントベースプレート３ａ及びカバー３ｂが上昇する。また、便座照明３ｇが点灯する。これにより、浮上した便座ボックス２の前部の下側スペース（下側領域）Ｓが照明される。このように下側領域Ｓが明るく照らされるので、該下側領域Ｓに臨む便器本体１の上面や、フロントベースプレート３ａの下面等を容易に清掃することができる。
【００３０】
この上昇に際しては、スライダ１２はガイド１１に沿って上昇し、エアバッグ１３が減容する。エアバッグ１３内のエアは、図７のように弁１４を矢印θ方向に押し上げ、開口２０，２１，２２を通過し、速やかにエアバッグ１３外に流出する。このため、カバー３ｂ及びフロントベースプレート３ａはスムーズに上昇する。
【００３１】
カバー３ｂ及びフロントベースプレート３ａを下降させるには、カバー３ｂを下向きにやや力を込めて押す。これにより、前記ラッチ機構のラッチが解除され、図６（ｅ）の通り該カバー３ｂ及びフロントベースプレート３ａが下降する。
【００３２】
この下降に際しては、スライダ１１はガイド１２に沿って下降する。この場合、弁１４は図３のように天板１１ｃに重なっており、エアバッグ１３内には小孔２３を介してエアが流入する。このため、エアバッグ１３の増容が緩慢なものとなり、カバー３ｂ及びフロントベースプレート３ａはゆっくりと下降するようになる。
【００３３】
このように、この実施の形態によると、エアバッグ１３及び弁１４よりなるエアダンパによってカバー３ｂ及びフロントベースプレート３ａの下降緩行装置が構成されており、従来のロータリダンパに比べて便器上面設備の部品コストが安価なものとなる。
【００３４】
上記実施の形態では、エアバッグ１３をスライダ１２の上側に配置しているが、図４のようにスライダ１２の下側にエアバッグ１３を配置してもよい。この場合、上昇時にはエアバッグ１３内にエアがスムーズに流入して増容し、下降時にはエアバッグ１３からエアが徐々に流出して減容するように弁１４（図４では図示略）を設けることにより、カバー３ｂ及びフロントベースプレート３ａはスムーズに上昇し、ゆっくりと下降するようになる。
【００３５】
上記実施の形態では便器上面設備は便座ボックスであるが、タンクカバーであってもよい。便座ボックスやタンクカバーの形状、大きさは特に限定されるものではない。便座ボックスやタンクカバーは、前部のみが昇降するものであってもよく、前部から後部も含めて昇降するものであってもよい。
【００３６】
【発明の効果】
以上の通り、本発明の便器上面設備によると、昇降メンバの下降の緩行装置の構成コストを低減することができる。
【図面の簡単な説明】
【図１】図１（ａ）は実施の形態に係る便器上面設備の透視斜視図であり、（ｂ）図は浮上ユニットの浮上時の斜視図である。
【図２】浮上ユニットの降下時の斜視図である。
【図３】図２のＩＩＩ−ＩＩＩ線断面図である。
【図４】図４（ａ），（ｂ）は別の実施の形態に用いられる浮上ユニットの側面図である。
【図５】実施の形態に係る便器上面設備を備えた洋風便器の斜視図である。
【図６】図５の洋風便器の側面図である。
【図７】弁２３の動作説明図である。
【符号の説明】
２  便座ボックス
３ａ  フロントベースプレート
３ｂ  （便座ボックスの）カバー
１０  浮上ユニット
１１  ガイド
１１ｃ  天板
１２  スライダ
１３  エアバッグ
１４  弁
１４ａ  留付部材
２０，２１，２２  開口
２３  小孔
【図１】
2004329489.tif 000003
【図２】
2004329489.tif 000004
【図３】
2004329489.tif 000005
【図４】
2004329489.tif 000006
【図５】
2004329489.tif 000007
【図６】
2004329489.tif 000008
【図７】
2004329489.tif 000009